(57)【特許請求の範囲】
【請求項１】
肥料を収容するホッパー２０と該ホッパー２０の下側に左右横並びに配置した複数の繰出部２１を走行車体１の後部で苗植装置３の前側に配置し、繰出部２１で繰り出された肥料をエアチャンバ２６から吐出される空気によりそれぞれのホ−ス２２を介して作溝器２３へ供給して施肥する施肥装置付き苗移植機において、前記複数の繰出部２１のうち隣接する２つの繰出部２１及びそれに対応する２条分の苗植杆１１を共に駆動停止操作する第一操作具３５とその２つの繰出部２１の何れか片方を駆動停止操作する各条操作具５２とを設け、前記各条操作具５２の操作に拘らず第一操作具３５により２条分の繰出部２１及び苗植杆１１を駆動停止できる構成とし、第一操作具３５を横軸３６回りに回動してホッパ−２０の前部側で且つ機体正面視で隣接する繰出部２１の左右間で上下に直線状に操作する構成とし、各条操作具５２を縦軸回りに回動操作する構成としたことを特徴とする施肥装置付き苗移植機。
【請求項２】
第一操作具３５を機体側面視でエアチャンバ２６の上側に配置したことを特徴とする請求項１記載の施肥装置付き苗移植機。
【発明の詳細な説明】
【０００１】
【発明の属する技術分野】
この発明は、施肥装置を備えた苗移植機に用いるものである。
【０００２】
【従来の技術】
従来、肥料を収容するホッパーの下側に該ホッパー内の肥料を繰出す複数の繰出部を、走行車体の後部で苗植装置の前側に左右横並びに配置した苗移植機において、前記複数の繰出部の上方にシャッターを設けて部分的に繰出部への肥料を堰き止めて肥料の繰出しを停止するシャッターの操作具を、繰出部の機体前方に配置した施肥装置付き苗移植機がある。
【０００３】
【特許文献１】
特開昭５７−１９８０１４号公報
【０００４】
【発明が解決しようとする課題】
従来の操作具は、繰出部の機体前方に離れて配置したものであるから、その操作性が悪いと謂う課題があった。また、シャッターを閉めて肥料の繰出しを部分的に停止するものであるから、シャッターを閉める際に肥料を潰してしまうこともあり、施肥を再開した初期に、適切な施肥作業が行えないこともあった。
【０００５】
【課題を解決するための手段】
上記課題を解決するために、請求項１記載の発明は、肥料を収容するホッパー２０と該ホッパー２０の下側に左右横並びに配置した複数の繰出部２１を走行車体１の後部で苗植装置３の前側に配置し、繰出部２１で繰り出された肥料をエアチャンバ２６から吐出される空気によりそれぞれのホ−ス２２を介して作溝器２３へ供給して施肥する施肥装置付き苗移植機において、前記複数の繰出部２１のうち隣接する２つの繰出部２１及びそれに対応する２条分の苗植杆１１を共に駆動停止操作する第一操作具３５とその２つの繰出部２１の何れか片方を駆動停止操作する各条操作具５２とを設け、前記各条操作具５２の操作に拘らず第一操作具３５により２条分の繰出部２１及び苗植杆１１を駆動停止できる構成とし、第一操作具３５を横軸３６回りに回動してホッパ−２０の前部側で且つ機体正面視で隣接する繰出部２１の左右間で上下に直線状に操作する構成とし、各条操作具５２を縦軸回りに回動操作する構成としたことを特徴とする施肥装置付き苗移植機とした。
【０００６】
請求項２記載の発明は、第一操作具３５を機体側面視でエアチャンバ２６の上側に配置したことを特徴とする請求項１記載の施肥装置付き苗移植機とした。
【０００７】
【発明の効果】
請求項１記載の発明によると、施肥作業が進むとホッパー２０内の肥料が減少するが、ホッパー２０及び繰出部２１を走行車体１の後部で苗植装置３の前側に左右横並びに配置しているから、ホッパー及び繰出部を苗植装置の後側に配置した構成のものと比べて機体重量の前後バランスの変動が少なくて良好に作業が行える。そして、作業の終盤で畦際一行程分の作業領域を残して作業走行するときには、第一操作具３５と各条操作具５２とを適宜操作するだけで可能となる。また、第一操作具３５により繰出部２１に対応する２条分の苗植杆１１も駆動停止でき、この切替操作が容易になる。更には、各条操作具５２の操作に拘らず第一操作具３５により２条分の繰出部２１及び苗植杆１１を駆動停止でき、繰出部２１の駆動停止操作が容易になる。その上、第一操作具３５を横軸３６回りに回動して機体正面視で隣接する繰出部２１の左右間で上下に直線状に操作する構成としているので、操作状態に拘らず第一操作具３５が邪魔にならずに繰出部２１のメンテナンスを容易に行える。また、第一操作具３５を横軸３６回りに回動してホッパ−２０の前部側で且つ機体正面視で上下に直線状に操作する構成としたので、第一操作具３５により２条分の繰出部２１及び苗植杆１１を部分的に駆動停止していることに気付きやすく、繰出部２１及び苗植杆１１を駆動させる状態への第一操作具３５の戻し忘れを防止できる。更に、第一操作具３５を横軸３６回りに回動してホッパ−２０の前部側で且つ機体正面視で隣接する繰出部２１の左右間で上下に直線状に操作する構成とし、各条操作具５２を縦軸回りに回動操作する構成としたから、第一操作具３５と各条操作具５２とは回動方向が異なる操作形態となるため、これらの操作具３５、５２を混同して誤操作するようなことを防止できる。
【０００８】
請求項２記載の発明によると、請求項１記載の発明の効果に加えて、第一操作具３５を機体側面視でエアチャンバ２６の上側に配置しているから、そのレイアウトが簡潔なものとなり、この操作が容易である。
【０００９】
【発明の実施の形態】
つぎに、この発明の実施例を説明する。図１のように、走行車体１の後にリンク２で苗植装置３が装着されて苗移植機が構成されている。走行車体１は、中央のエンジン４の動力で回転するそれぞれ左右一対の前輪５と後輪６を備え、エンジン４の上には前部の横軸７の回りに回動する座席８が設けられている。
【００１０】
苗植装置３は、中央の歯車箱９、その上に前倒れの斜に設けられて左右に移動する苗載台１０、この苗載台１０の下端部で横から見て先が上下に長い長円形の軌道で旋回する苗植杆１１、および、泥面を滑走して苗植杆１１の前方を整地するフロート１２で構成される。そして歯車箱９がリンク２の後部の取付枠１３に取付けられ、そのリンク２がシリンダ１４から出没するピストンロッド１５で回動することにより、同じ姿勢を保って上下に移動する。横並びで複数の植付ケース１６が歯車箱９の後端から苗載台１０の下を通って更に後に伸び、その左右に一対の苗植杆１１が設けられ、これらの一対（２個）の苗植杆１１で１組が構成されている。エンジン４の動力が伝動軸１７，１８で歯車箱９内に導かれ、それぞれの植付ケース１６内を通って植付杆１１に達している。クラッチ１９がそれぞれの植付ケース１６の左端部に設けられ、歯車箱９からそれぞれの組の苗植杆１１に伝わる動力を断続するように出来ている。なお、図は、２つの苗植杆１１が交互に苗を移植して１条の苗列を作るロータリー式を示している。
【００１１】
肥料を入れるホッパー２０、その肥料を繰り出す繰出部としての繰出ローラ２１、肥料を導くホース２２、および、泥面に溝を作る作溝器２３で施肥装置２４が構成され、この施肥装置２４は、横並びの苗植杆１１と同数に設けられている。支柱２５が走行車体１の後部に設けられ、その上に横長のエアチャンバ２６が固定され、それぞれの繰出ローラ２１を収納したケース２７がこのエアチャンバ２６に横並びに固定されている。
【００１２】
図３および図４のように、ホッパー２０は、それぞれ前後から見てＶ型に形成されて２個の左右の側面が接合し、この接合で中央下部に倒Ｖ型のスペース２８が形成され、２個のホッパー２０の上には両者を被うように単一の蓋２９が設けられている。図１，図２および図４のように、単一の横長の回動軸３０がケース２７の後に設けられ、そのアーム３１がロッド３２で伝動軸１７のクランク３３に連結して、回動運動を行うようになっている。
【００１３】
以下はそれぞれ同一のため、１つについて示すと、スペース２８に案内箱３４が設けられ、これから前向に突出したレバー３５が横軸３６回りに回動するようにブラケット３７に取付けられている。図４のように、筒３８が回動軸３０にスペース２８の下で回転自在に取付けられ、そのアーム３９がロッド４０で筒４１のアーム４２に連り、筒３８の回動で筒４１が繰出ローラ２１の軸４３上で回動するようになっている。左面に爪を備えた可動体４４が筒３８の右側で回動軸３０に回らないように取付けられ、ばね４５で左に押されてその爪が筒３８の右面の爪に咬み合って、回動軸３０の回動運動を筒３８に伝えるようになっている。シフタ４６がベルクランクのように取付けられてその下端が可動体４４に係合するとともに、上端がロッド４７でレバー３５の下端に連結し、このレバー３５を図２の位置から反時計方向に回して鎖線の状態にすると、ロッド４７が引き上げられ、可動体４４がばねを圧縮して右に移動し、左面の爪が筒３８の爪から離れて筒３８の回動が停止するように出来ている。なお、この位置からレバー３５を実線の位置に戻すと、可動体４４がばね４５で左に押されてその爪が筒３８の爪に咬み、回動軸３０の回動が筒３８に伝達される。
【００１４】
尚、図２に示すように、前記レバー３５の前端はエアチャンバ２６の前端より前側に配置されており、レバー３５を機体前方側から操作可能に配置している。ワンウエイクラッチ４８が筒４１の右で軸４３に取付けられ、筒４１の往復の回動運動を間欠の回転運動に変えて軸４３に伝達するようになっている。一対の可動体４９が左右の繰出ローラ２１の内側で軸４３にキーで回らないように取付けられ、ばね５０で外側に押されてその爪が繰出ローラ２１の爪に咬み合い、軸４３の間欠回転で繰出ローラ２１が回転してホッパー２０内の肥料を下のホース２２内に繰り出すようになっている。この繰出ローラ２１は、外周に溝２１ａを備えてこの溝２１ａ内に入った肥料をその回転で繰り出すもので、その溝２１ａは、移動子５１のスライドで横巾を調節して肥料の繰り出し量を変更するようになっている。
【００１５】
各条レバー５２がケース２７に取付けられ、その先で偏心しているピン５３が可動体４９の溝に係合し、各条レバー５２を回すと、ピン５３がばね５０を圧縮して可動体４９が移動し、その爪が繰出ローラ２１の爪から離れてこのローラ２１の回転が停止するようになっている。それぞれの作溝器２３は、それぞれ対応する苗植杆１１の側方に作溝するようにフロート１２に取付けられ、それぞれの作溝器２３とそれぞれの繰出ローラ２１の下方とがそれぞれのホース２２で連結されている。エアチャンバ２６にはブロア５４から空気が吹き込まれ、これから吐出される空気がそれぞれのホース２２内を流れ、肥料を誘導するようになっている。
【００１６】
図２および図４のように、それぞれのワイヤ５５の上端がレバー３５の中間に取付けられ、その下端が前記のそれぞれのクラッチ１９に接合し、図２の実線の位置にあるこのレバー３５を反時計方向に回動して鎖線の状態にすると、クラッチ１９が苗植杆１１への動力伝達を断ち、このレバー３５を逆に操作すると、動力伝達が再開されるようになっている。従って、１つのレバー３５の操作でこれが対応している一対の苗植杆１１に対する動力伝達の断続と一対の繰出ローラ２１に対する動力伝達の断続とが行なわれる。なお、繰出ローラ２１に対する動力伝達の断続に代えて、シャッターを開閉させることもできる。この場合、シャッターは、繰出ローラ２１の上に設けられる。また、クラッチ１９よりも苗植杆１１側の伝動経路からそれぞれの繰出ローラ２１を回転するように構成すると、レバー３５は、クラッチ１９に接続するのみで良い。
【００１７】
図１および図５のように、座席８とホッパー２０の間で、ホッパー２０よりもやや高い位置に横向のレール５６を設け、肥料を入れた補給箱５７をこのレール５６に沿わせて移動させながらホッパー２０内に肥料を補給するようにすることができる。図１のように、苗載台１０の上端にこれを延長するように杆や板で出来た延長台５８を取付け、その先をばね５９で上げるように設けると、苗取板６０に載せたマット苗の補給のときに、これが下から支えられるようになって合理的である。
【００１８】
図６および図７のように、走行車体１の前後方向のフレーム６１と上下方向の支柱２５とを横から見て１本の杆をＬ字型に曲げて一体に構成すると、軽快な苗植機が得られる。以上説明したように、この苗移植機は、ホッパー２０内の肥料を複数の施肥装置２４が繰出し、繰り出された肥料を左右横長のエアチャンバ２６から吐出される空気によりそれぞれのホ−ス２２を介して作溝器２３へ供給し、圃場に施肥する。施肥作業が進むとホッパー２０内の肥料が減少するが、ホッパー２０及び施肥装置２４を走行車体１の後部で苗植装置３の前側に左右横並びに配置しているから、ホッパー及び施肥装置を苗植装置の後側に配置した構成のものと比べて機体重量の前後バランスの変動が少ない。
【００１９】
そして、作業の終盤で畦際一行程分の作業領域を残して作業走行するときには、施肥装置２４を部分的に駆動停止操作する操作具３５を適宜操作するだけで可能となる。また、その操作具３５を機体正面視で繰出部２１の左右間でホッパー２０の下方に入り込ませて機体正面視で駆動停止する繰出部２１の側方に配置すると共に、該操作具３５の前端をエアチャンバ２６の前端より前側に配置しているから、操作具３５を走行車体１上から駆動停止したい繰出部２１を適確に認識しながら操作でき、誤操作の発生も少ない。また、操作具３５を操作するとき、エアチャンバ２６が邪魔になりにくく、機体前方側から容易に操作できる。また、苗植装置３への苗補給時に操作具３５が邪魔になりにくい。更に、前後長が短い機体構成にもしやすい。
【図面の簡単な説明】
【図１】この発明を施した苗移植機の側面図。
【図２】その一部の拡大した切断側面図。
【図３】その一部の拡大した正面図。
【図４】その一部の拡大した切断正面図。
【図５】その一部の斜面図。
【図６】他の実施例を示す苗移植機の側面図。
【図７】その走行車体のフレームを示す斜面図。
【符号の説明】
１：走行車体
３：苗植装置
１１：苗植杆
２０：ホッパー
２１：繰出部（繰出ロ−ラ）
２２：ホ−ス
２３：作溝器
２４：施肥装置
２６：エアチャンバ
３５：第一操作具（レバー）
５２：各条操作具（各条レバー）
【図１】
0003562520.tif 000002
【図２】
0003562520.tif 000003
【図３】
0003562520.tif 000004
【図４】
0003562520.tif 000005
【図５】
0003562520.tif 000006
【図６】
0003562520.tif 000007
【図７】
0003562520.tif 000008